(57)【要約】【課題】従来では存在しなかったスタイリッシュでかつ厳かな雰囲気あるいは演出を施し、家族、特に子孫の先祖に対する想い・絆を強くすることができる仏壇、仏壇システム及び仏壇用コンテンツの取引方法を提供する。【解決手段】筐体である仏壇本体１６と、仏壇本体１６に設けられ所定の平面像を表示する液晶表示部１８と、仏壇本体１６に設けられ所定の立体像３２を出現させる立体像演出部２４と、仏壇本体１６に設けられ液晶表示部１８を制御する液晶表示制御部２６Ｃと、仏壇本体１６に設けられ立体像演出部２４を制御する立体像制御部２６Ｄと、を有する仏壇１２である。【選択図】      図１
2016022187.tif 000002
【特許請求の範囲】
【請求項１】
筐体である仏壇本体と、
前記仏壇本体に設けられ、所定の平面像を表示する液晶表示部と、
前記仏壇本体に設けられ、所定の立体像を出現させる立体像演出部と、
前記仏壇本体に設けられ、前記液晶表示部を制御する液晶表示制御部と、
前記仏壇本体に設けられ、前記立体像演出部を制御する立体像制御部と、
を有することを特徴とする仏壇。
【請求項２】
前記立体像演出部は、前記仏壇本体の正面視において前記立体像を前記液晶表示部の前方側に出現させることを特徴とする請求項１に記載の仏壇。
【請求項３】
前記仏壇本体は、仏壇用コンテンツを記憶する記憶媒体を有し、
前記液晶表示部又は前記立体像演出部は、前記仏壇用コンテンツに基づいて前記平面像を表示又は前記立体像を出現させることを特徴とする請求項１又は２に記載の仏壇。
【請求項４】
請求項１乃至３のいずれか１項に記載の仏壇と、
前記仏壇にネットワークによって接続可能なコンピュータ群と、
を含むことを特徴とする仏壇システム。
【請求項５】
前記請求項３に記載の仏壇と、
前記仏壇にネットワークによって接続可能なコンピュータ群と、
を含み、
前記コンピュータ群は、前記仏壇用コンテンツを前記記憶媒体に対して送信可能であることを特徴とする仏壇システム。
【請求項６】
請求項５に記載の仏壇システムを利用した仏壇用コンテンツの取引方法であって、
会員登録するステップと、
会員登録した者の前記仏壇システムの前記記憶媒体に所定の仏壇用コンテンツをデータ送信するステップと、
前記仏壇用コンテンツを送信した量に基づいて又は前記仏壇用コンテンツを送信した量にかかわらず所定の期間に基づいて課金するステップと、
を含むことを特徴とする仏壇用コンテンツの取引方法。
【発明の詳細な説明】
【技術分野】
【０００１】
本発明は、仏壇、仏壇システム及び仏壇用コンテンツの取引方法に関する。
【背景技術】
【０００２】
従来の仏壇では、その中央に仏像等が配置された非常にシンプルな構造のものが多かった。
【０００３】
ところで、かかる仏壇は日頃の読経時や法事等で使用され、一家にひとつ世代を超えて利用され続けるものである。このため、仏壇を一度購入すれば、仏壇を買い替える機会はあまりない。
【先行技術文献】
【特許文献】
【０００４】
【特許文献１】実開昭６４−１５８５号公報
【発明の概要】
【発明が解決しようとする課題】
【０００５】
ところで、仏壇には仏像の他に、装飾品である仏具等が配置されているが、厳かなものに限られており、いずれも静的なものである。先祖を偲ぶ法事等に関しては、通常、仏壇が利用されるが、先祖のことを思い出す手段が主として仏壇に配置された生前の写真等だけであり、特に先祖と面識のない子孫にとっては退屈な行事になることもある。
【０００６】
他方、昨今、少子化の流れにより、仏壇・仏具産業の経営・存続が危ぶまれている。仏壇・仏具の必要性については、一家に一度購入されれば、解決するものであり、現在の少子化の状況を考慮すると、仏壇・仏具産業の経営は見通しがよくない。
【０００７】
そこで、本発明は、上記問題に鑑み、従来では存在しなかったスタイリッシュでかつ厳かな雰囲気あるいは演出を施し、ひいては家族、特に子孫の先祖に対する想い・絆を強くするためのきっかけを与えることができる仏壇、仏壇システム及び仏壇用コンテンツの取引方法を提供することを目的とする。
【課題を解決するための手段】
【０００８】
第１の発明は、筐体である仏壇本体と、前記仏壇本体に設けられ、所定の平面像を表示する液晶表示部と、前記仏壇本体に設けられ、所定の立体像を出現させる立体像演出部と、前記仏壇本体に設けられ、前記液晶表示部を制御する液晶表示制御部と、前記仏壇本体に設けられ、前記立体像演出部を制御する立体像制御部と、を有する仏壇である。
【０００９】
この場合、前記立体像演出部は、前記仏壇本体の正面視において前記立体像を前記液晶表示部の前方側に出現させることが好ましい。
【００１０】
この場合、前記仏壇本体は、仏壇用コンテンツを記憶する記憶媒体を有し、前記液晶表示部又は前記立体像演出部は、前記仏壇用コンテンツに基づいて前記平面像を表示又は前記立体像を出現させることが好ましい。
【００１１】
第２の発明は、前記仏壇と、前記仏壇にネットワークによって接続可能なコンピュータ群と、を含む仏壇システムである。
【００１２】
第３の発明は、前記仏壇と、前記仏壇にネットワークによって接続可能なコンピュータ群と、を含み、前記コンピュータ群は、前記仏壇用コンテンツを前記記憶媒体に対して送信可能である仏壇システムである。
【００１３】
第４の発明は、前記仏壇システムを利用した仏壇用コンテンツの取引方法であって、会員登録するステップと、会員登録した者の前記仏壇システムの前記記憶媒体に所定の仏壇用コンテンツをデータ送信するステップと、前記仏壇用コンテンツを送信した量に基づいて又は前記仏壇用コンテンツを送信した量にかかわらず所定の期間に基づいて課金するステップと、を含む仏壇用コンテンツの取引方法である。
【発明の効果】
【００１４】
本発明によれば、従来では存在しなかったスタイリッシュでかつ厳かな雰囲気あるいは演出を施し、ひいては家族、特に子孫の先祖に対する想い・絆を強くするためのきっかけを与えることができる。
【図面の簡単な説明】
【００１５】
【図１】本発明の第１実施形態の仏壇が仏像の立体像を出現させた状態を示した斜視図である。
【図２】本発明の第１実施形態の仏壇システムの概念図である。
【図３】本発明の第１実施形態の仏壇の制御システム全体のブロック図である。
【図４】本発明の第１実施形態の仏壇の制御システムの記憶部を示す図である。
【図５】本発明の第１実施形態の仏壇の制御システムの外部入力部を示す図である。
【図６】本発明の第１実施形態の仏壇が先祖の立体像を出現させた状態を示した斜視図である。
【図７】本発明の第１実施形態の仏壇用コンテンツの取引方法に関するフローチャートである。
【図８】本発明の第２実施形態の仏壇が仏様の立体像を出現させた状態を示した斜視図である。
【発明を実施するための形態】
【００１６】
本発明の第１実施形態に係る仏壇、仏壇システム及び仏壇用コンテンツの取引方法について、図面を参照して説明する。
【００１７】
図１、図２及び図３に示すように、仏壇システム１０は、例えば、仏壇１２と、仏壇１２に対して通信可能なコンピュータ群１４と、を有する。コンピュータ群１４には、インターネット等のネットワーク１６を介して接続可能なコンピュータＡ（１４Ａ）、コンピュータＢ（１４Ｂ）、コンピュータＣ（１４Ｃ）、コンピュータＤ（１４Ｄ）、‥‥‥と、仏壇１２に対して直接に接続可能な端末１５と、を含む。
【００１８】
なお、説明の便宜上、コンピュータＡに符号１４Ａ、コンピュータＢに１４Ｂ、コンピュータＣに１４Ｃ、コンピュータＤに１４Ｄを付している。
【００１９】
仏壇１２は、筐体である仏壇本体１６を有している。仏壇本体１６は、上段部１６Ａと、中段部１６Ｂと、下段部１６Ｃと、を有している。
【００２０】
上段部１６Ａには、液晶表示部１８が配置されている。液晶表示部１８は、仏壇本体１６に内蔵されている制御システム２６の液晶表示制御部２６Ｃで表示制御される。液晶表示部１８での表示内容は、例えば平面像であり、先祖の生前時に録画した動画、映像、静止画、先祖のために制作した演出画像（キャラクタ像又はアニメ画を含む。）、文字、手紙内容、先祖が気に入っていた風景等に関する様々なコンテンツデータである。図４に示すように、これらは仏壇用コンテンツ２８として、仏壇本体１６に内蔵されている制御システム２６の記憶部２６Ｂに格納されている。
【００２１】
仏壇用コンテンツ２８として、先祖毎のデータが区分けされており、例えば、先祖の年忌毎のデータから成立している。年忌毎のデータには、例えば、百ヶ日のタイミングで出力可能な百ヶ日データと、一周忌のタイミングで出力可能な一周忌データと、三回忌のタイミングで出力可能な三回忌データと、七回忌のタイミングで出力可能な七回忌データと、十三回忌のタイミングで出力可能な十三回忌データと、十七回忌のタイミングで出力可能な十七回忌データと、二十三回忌のタイミングで出力可能な二十三回忌データと、二十五回忌のタイミングで出力可能な二十五回忌データと、二十七回忌のタイミングで出力可能な二十七回忌データと、三十三回忌のタイミングで出力可能な三十三回忌データと、三十七回忌のタイミングで出力可能な三十七回忌データと、五十回忌のタイミングで出力可能な五十回忌データと、を含む。
【００２２】
液晶表示部１８は、例えば、外部から送信された電子メールを表示してもよい。連絡操作部２０Ａを操作することにより、電子メールのテキスト文書（メール本文）を作成し、これを液晶表示部１８で表示してもよい。また、液晶表示部１８は、外部のコンテンツ業者、仏壇業者、ＩＴ関連業者等との間で実行されるネットワーク通信の内容を適宜表示してもよい。
【００２３】
図１に示すように、液晶表示部１８の手前側には、所定の立体像を出現させるための立体像演出部２４が配置されている。立体像演出部２４は、例えば、３次元像を出現可能なプロジェクタ、あるいはポット光源からの光を受けて所定の像を出現させるホログラムフィルム等、が用いられる。
【００２４】
なお、立体像演出部２４については、例えば、特許電子図書館で検索可能な特許文献（特開平１１−２３１７６２号等）及び周知技術を利用できるため、原理・技術的な説明は省略する。また、ホログラムフィルムについても周知のものであり、例えば、本願の従来技術として挙げた特許文献１（実開昭６４−１５８５号公報）にも記載されている。
【００２５】
立体像３２は、静的なものあるいは所定の動作を行う動的なものが採用され、予め記憶された立体像３２に関するコンテンツに基づいて出現する。立体像３２として、例えば、仏像等を描いたものでもよいし、先祖の顔を描いたものでもよい。
【００２６】
仏壇本体１６の中段部１６Ｂには、単数又は複数の操作部２０と、単数又は複数のスピーカ２２と、が配置されている。図３に示すように、操作部２０は、相手とのコミュニケーションを目的とした連絡操作部２０Ａと、液晶表示部１８及び立体像演出部２４等の制御を実行するための演出操作部２０Ｂと、を含む。
【００２７】
連絡操作部２０Ａを操作することにより、所定の相手先に電子メールを送信できたり、あるいは所定の相手先から電子メールを受信できたり、さらには電話発信が可能になったり、緊急先へ所定の電気的又は情報通信的な手段で連絡することが可能になる。このように、連絡操作部２０Ａは、機械的、電気的又は情報通信的な手段により、相手とのコミュニケーションを実現するための手段である。
【００２８】
演出操作部２０Ｂを操作することにより、液晶表示部１８で表示される画像内容の表示制御が可能になる。また、液晶表示部１８で表示される所定の画像内容を選択したり、変更することが可能になる。また、演出操作部２０Ｂを操作することにより、立体像演出部２４を制御することも可能である。立体像３２のコンテンツを変更・更新することも可能であり、立体像３２に静的又は動的な演出を施すことも可能である。
【００２９】
スピーカ２２は、所定の音声を出力する。スピーカ２２は、例えば、液晶表示部１８での表示制御と連動した音声出力の他に、立体像の演出と同期された音声出力、その他、読経の音声出力等、様々な音声コンテンツに基づいた音声を出力する。
【００３０】
仏壇本体１６の下段部１６Ｃには、台部３０が形成されている。台部３０には、例えばお花、仏具などの装飾品、菓子類等のお供え物等が配置可能になっている。台部３０は、使用者が自由に利用することができる。
【００３１】
さらには、仏壇本体１６のいずれかの部位に、ＬＥＤ等の発光部を設けてもよい。制御システム２６で発光部を発光制御することにより、法事に適用した発光演出が可能になる。
【００３２】
制御システム２６は、仏壇本体１６の内部に設けられている。制御システム２６は、制御部２６Ａと、記憶部２６Ｂと、液晶表示制御部２６Ｃと、立体像制御部２６Ｄと、音声制御部２６Ｅと、通信部２６Ｆと、外部入力部２６Ｇと、を有する。
【００３３】
制御部２６Ａは、例えば、ＣＰＵで構成され、制御システム２６の全体を統括的に制御する。
【００３４】
記憶部２６Ｂは、記憶媒体であり、例えば、ＲＯＭ又はＲＡＭで構成されている。図４に示すように、記憶部２６Ｂには、制御システム２６を起動するための起動プログラムＰＲ１と、液晶表示演出、立体像演出及び発光演出に必要となる各種演出プログラムＰＲ２と、各演出に必要となる複数種類の仏壇用コンテンツ２８と、が記憶されている。
【００３５】
液晶表示制御部２６Ｃは、所定の演出プログラムＰＲ２に基づいて液晶表示部１８を制御する。これにより、液晶表示部１８において２次元の平面像として静止画又は動画等の表示が可能になる。
【００３６】
ここで、液晶表示部１８での表示内容として、例えば、先祖毎の静止画、動画、あるいは映像等、さらには仏像等の静止画、動画、映像が該当する。それらの仏壇用コンテンツ２８は、例えば法事毎に異なる内容に設定されている。具体的には、百ヶ日の法事から五十回忌の法事までの範囲で、異なる内容のコンテンツが用意されている。また、法事毎のコンテンツとして、物語性を導入したストーリー型の連続コンテンツを設定してもよい。これらの仏壇用コンテンツ２８に関する情報あるいはデータは、記憶部２６Ｂに記憶されている。
【００３７】
仏壇用コンテンツ２８の情報あるいはデータは、仏壇１２の制御システム２６に対して端末１５を直接接続して入力してもよいし、仏壇１２の制御システム２６をインターネット等のネット環境に接続し、外部のコンピュータ群１４から所定のパスワードを入力することにより外部入力部２６Ｇに記憶してもよい。
【００３８】
立体像制御部２６Ｄは、所定の演出プログラムＰＲ２に基づいて立体像演出部２４を制御する。これにより、立体像演出部２４から所定の立体像３２が出現する。立体像３２のコンテンツを含む演出プログラムＰＲ２によって、立体像３２の内容、例えば、静止しているものか、あるいは所定の動作を行うものかを再現できる。
【００３９】
ここで、立体像演出部２４から出現する立体像３２として、例えば、先祖毎の静止像、動作する立体像等、さらには仏像等の静止像、動作する立体像等である。それらの仏壇用コンテンツ２８は、例えば法事毎に異なる内容に設定されている。具体的には、百ヶ日の法事から五十回忌の法事までの範囲で、異なる内容のコンテンツが用意されている。また、法事毎のコンテンツとして、物語性を導入したストーリー型の連続コンテンツを設定してもよい。これらの仏壇用コンテンツ２８に関する情報あるいはデータは、記憶部２６Ｂ又は外部入力部２６Ｇに記憶されている。
【００４０】
さらには、立体像演出部２４で出現する立体像３２と、液晶表示部１８で表示される表示内容と、を合体させて一つの演出として完成させてもよい。例えば、図６に示すように先祖の立体像３２であれば、液晶表示部１８では先祖が生前に好きだった場所、食事や遊んでいるときの様子、子孫などの映像等を表示させ、前から見ると両者が一体となった一つの合成作品として完成される。このとき、立体像３２と液晶表示の内容とが同期されたコンテンツが利用され、両者の動作に整合性が保たれている。
【００４１】
音声制御部２６Ｅは、立体像３２の音声出力を制御したり、液晶表示部１８での液晶表示に合わせた音声出力を制御する。音声内容は、音声のコンテンツとして、演出内容と同期される形で、記憶部２６Ｂに予め記憶されている。このため、立体像３２の動作と音声出力とが最適なタイミングで同期され、さらには液晶表示部１８での液晶表示内容と音声出力とが最適なタイミングで同期されている。これにより、立体像３２と音声、あるいは液晶表示内容と音声が時間的にズレることがなく、不自然に印象を与えない。
【００４２】
通信部２６Ｆは、通信インターフェース部であり、例えば、インターネット等のネットワークにより外部のコンピュータ群１４と接続可能に構成されている。ネットワークは、無線又は有線による接続が利用される。
【００４３】
ここで、コンピュータ群１４には、外部業者のコンピュータＡ、Ｂ、Ｃ、Ｄのに、仏壇の所有者のコンピュータを含めてもよい。さらには、仏壇１２の制御システム２６に対してネットワークを介さずに接続可能な端末１５も含む。例えば、所定のＩＤ又は／及びパスワードを入力することにより、各コンピュータから仏壇１２の制御システム２６に対して適法にアクセスし、通信可能になる。
【００４４】
外部入力部２６Ｇは、いわゆる記憶媒体であり、外部からアクセス可能なものである。外部入力部２６Ｇは、例えばＲＯＭ又はＲＡＭで構成され、制御システム２６の他の構成要素とは分離して配置されている。このため、外部入力部２６Ｇを他の構成要素から電気的に分離させることができ、外部入力部２６Ｇの機能が低下しても、制御システム２６は作動する。
【００４５】
図５に示すように、外部のコンピュータ群１４から仏壇１２の通信部２６Ｆに接続し、所定の仏壇用コンテンツ２８を外部入力部２６Ｇに記憶させることができる。
【００４６】
なお、制御部２６Ａは、液晶表示制御部２６Ｃ、立体像制御部２６Ｄ及び音声制御部を制御し、例えば、タイミングを同期させる必要がある場合には、当該同期化処理を実行する。
【００４７】
第１実施形態によれば、立体像演出部２４が立体像制御部２６Ｄにより制御され、液晶表示部１８の近傍に所定の立体像３２が出現する。立体像３２は、例えば、３次元的なものであり、静止している態様でも、所定の動作を行う態様でもよい。
【００４８】
立体像３２は、例えば、仏像のような形態のものでもよく、あるいは先祖を表現したものでもよい。立体像３２は、単数だけではなく、複数の仏像又は先祖を表現したものでもよい。
【００４９】
ここで、音声制御部２６Ｅの音声制御によりスピーカ２２から所定の音声が出力される。例えば、立体像３２が先祖を表現したものである場合、子孫に対するアドバイス等を事前に音声コンテンツとして録音しておき、当該音声コンテンツに基づいて音声を出力してもよい。なお、音声コンテンツは、先祖の生前の声で録音しておくことにより、現実性が出る。
【００５０】
立体像３２の出現と同時に、あるいは立体像３２の出現に替えて、液晶表示制御部２６Ｃが液晶表示部１８を制御して、所定の映像を表示してもよい。このとき、出現している立体像３２と関連のある液晶表示コンテンツを利用することが好ましい。例えば、立体像３２が先祖を表現したものであれば、当該先祖が生前に好きだった風景、あるいは生前の録画映像等を液晶表示部１８に表示してもよい。
【００５１】
ここで、法事毎に立体像３２の演出を変えてもよい。例えば、年を重ねる毎に立体像３２の表情に成長性を持たせることも可能である。また、先祖の命日毎に、該当する先祖の立体像３２を出現させてもよい。さらには、法事毎に、立体像３２の動作に関連性を持たせてもよい。具体的には、立体像３２の動作に連続した物語性を持たせることにより、演出効果が高くなる。
【００５２】
連絡操作部２０Ａを操作することにより、所定の情報を入力することができる。入力情報は、適宜、記憶部２６Ｂに記憶される。そして、連絡操作部２０Ａを操作することにより、制御システム２６の通信部２６Ｆから所定の宛先に対して電子メールを送信することが可能になる。例えば、電子メールの宛先として、ネットワーク１６で接続されるコンピュータ群１４のいずれかを指定することも可能である。
【００５３】
連絡操作部２０Ａを操作することにより、外部の医療機関に対してＳＯＳの電子メールを送信することも可能である。この場合、外部の医療機関として、ネットワーク１６で接続されるコンピュータ群１４のいずれかを指定することも可能である。
【００５４】
第１実施形態によれば、仏壇１２に対して従来では存在しなかったスタイリッシュでかつ厳かな雰囲気あるいは演出を施すことができ、法事等により立体像３２及び液晶表示の演出を実行することにより、家族、特に子孫の先祖に対する想い・絆を強くするためのきっかけを与えることができる。
【００５５】
次に、本発明の仏壇用コンテンツの取引処理について説明する。
【００５６】
図７に示すように、会員登録処理を実行する（Ｓ１００）。会員登録処理とは、例えば、仏壇の所有者が所定の仏壇・仏具店あるいはＩＴ系コンテンツ会社に対して、所定額の課金に基づき仏壇用コンテンツ２８の提供を求める契約を行う。課金の額は、例えば、仏壇用コンテンツ２８の種類及び頻度等、仏壇１２に内蔵された制御システム２６のメンテナンスの必要度に応じて決定される。
【００５７】
次に、会員の仏壇１２の制御システム２６に対する仏壇用コンテンツ２８の送信処理を実行する（Ｓ１０２）。仏壇用コンテンツ２８は、例えばネットワーク１６を通じて送信する。このとき、仏壇１２の制御システム２６に対して個別に識別番号を割り当てておき、当該識別番号を宛先として仏壇用コンテンツ２８を送信してもよい。外部から送信された仏壇用コンテンツ２８は、外部入力部２６Ｇに保存される。そして、立体像制御部２６Ｄにより制御されて立体像演出部２４から仏壇用コンテンツ２８に基づいた立体像３２が出現する。また、液晶表示制御部２６Ｃにより液晶表示部１８が制御され、仏壇用コンテンツに基づいた液晶表示が開始する。さらに、音声制御部２６Ｅにより制御され、スピーカ２２から仏壇用コンテンツ２８に基づいた音声が出力される。
【００５８】
ここで、仏壇用コンテンツ２８の一部として、外部の業者から法事事前連絡サービスを実行してもよい。具体的には、命日あるいは法事の日の約１カ月前に、命日あるいは法事が近いことを報知する電子メールを仏壇１２の制御システム２６に対して送信してもよい。これにより、仏壇の所有者は、命日あるいは法事を失念することなく、それらの準備を進めることができる。なお、電子メールのテキスト本文に動画やスライドショー等のデータが添付されていてもよい。また、電子メールのテキスト本文に動画を記憶したサーバ等のアドレスを入力しておき、当該アドレスをクリック操作することによりリンク先のサーバ等に移行するようにしてもよい。
【００５９】
さらには、契約者が自ら仏壇用コンテンツ２８をＩＴコンテンツ会社等のホームページから制御システム２６の外部入力部２６Ｇにダウンロード及びインストールしてもよい。例えば、契約者に割り当てられたパスワード等を利用して、ＩＴコンテンツ会社等のホームページに進入し、ダウンロード可能な仏壇用コンテンツ２８を入手することが好ましい。
【００６０】
次に、課金処理が実行される（Ｓ１０４）。課金処理では、仏壇用コンテンツ２８の種類毎に応じて異なる金額が設定されており、仏壇用コンテンツ２８がダウンロードされた量に基づいて課金されるようにしてもよい。また、所定の使用期間の使用料金を支払えば、仏壇用コンテンツ２８を自由にダウンロードすることができるように設定してもよい。
【００６１】
なお、課金処理（Ｓ１０４）は、Ｓ１００の前後、Ｓ１０２の前後、いずれのタイミングで実行してもよい。
【００６２】
本発明の仏壇用コンテンツ２８の取引方法によれば、仏壇用コンテンツ２８の販売あるいはレンタルに基づいたビジネスモデルを顧客に提案することができる。顧客側は、当該サービスを利用することにより、コンピュータの知識無く、容易に法事等の演出力を高めることができる。
【００６３】
特に、仏壇業界にとっては、少子高齢化の影響で、仏壇自体の売買機会が減少していくが、仏壇を売買した後においても、仏壇用コンテンツ２８の売買を通したビジネスチャンスが得られる。これにより、業界独自の課題及び雇用の問題が解決し得る。
【００６４】
次に、第２実施形態に係る仏壇、仏壇システム及び仏壇用コンテンツの取引方法について、図面を参照して説明する。なお、第１実施形態に係る仏壇、仏壇システム及び仏壇用コンテンツの取引方法と重複する構成には同じ符号を付し、その説明を省略する。
【００６５】
第２実施形態の仏壇１２は、図８に示すように、従来の観音扉式の仏壇に対して、その内部に液晶表示部１８及び立体像演出部２４を設置したものである。操作部２０及びスピーカ２２等については、外部から接続される電気機器を利用してもよいし、仏壇１２の内部で目につかない部位に配置されていてもよい。
【００６６】
第２実施形態によれば、従来の仏壇と外観上何ら変りのない仏壇１２を提供することができる。これにより、厳格な雰囲気で行われる法事等に対しても、斬新でスタイリッシュな演出を実行しつつ、厳格な雰囲気に適用させた仏壇１２を提供することができる。
【００６７】
なお、上記実施形態は、本発明の一例に過ぎないものである。このため、本発明は、上記実施形態の内容に限定されるものでない。
【符号の説明】
【００６８】
１０      仏壇システム
１２      仏壇
１４      コンピュータ群
１４Ａ    コンピュータＡ（コンピュータ群）
１４Ｂ    コンピュータＢ（コンピュータ群）
１４Ｃ    コンピュータＣ（コンピュータ群）
１４Ｄ    コンピュータＤ（コンピュータ群）
１５      端末（コンピュータ群）
１６      仏壇本体
１８      液晶表示部
２０      操作部
２０Ａ    連絡操作部
２０Ｂ    演出操作部
２２      スピーカ
２４      立体像演出部
２６      制御システム
２６Ａ    制御部
２６Ｂ    記憶部（記憶媒体）
２６Ｃ    液晶表示制御部
２６Ｄ    立体像制御部
２６Ｅ    音声制御部
２６Ｆ    通信部
２６Ｇ    外部入力部（記憶媒体）
２８      仏壇用コンテンツ
３０      台部
３２      立体像    
【図１】
2016022187.tif 000003
【図２】
2016022187.tif 000004
【図３】
2016022187.tif 000005
【図４】
2016022187.tif 000006
【図５】
2016022187.tif 000007
【図６】
2016022187.tif 000008
【図７】
2016022187.tif 000009
【図８】
2016022187.tif 000010